(57)【要約】【課題】高水圧が安全弁の上流に印加された場合でも、安全弁から排水される水を安全に便器面内に流出させ、水滴の跳ね返りや飛び散りによる衛生洗浄装置の故障やトイレの床・壁などの汚損を防止することを目的とする。【解決手段】給水配管２ａの分岐栓２ｂから衛生洗浄装置１の熱交換器６に水を供給するための給水装置１１に設けられた安全弁５の排水流路５ｋを、給水源（ロータンク）１２の流出口１２ａに合流させて、便器１５に排水させるようにしたので、高水圧が安全弁５の上流に印加された場合でも、水滴の跳ね返りや飛び散りによる衛生洗浄装置１の故障やトイレの床・壁などの汚損を防止することができる。【選択図】　図１
2004116162.tif 000002
【特許請求の範囲】
【請求項１】
熱交換器と前記熱交換器に水を供給するための給水装置とを有する衛生洗浄装置において、前記給水装置に水を供給するための水道配管に設けた分岐栓より前記熱交換器までの区間に、所定以上の水圧が加えられた際に水圧を外部へ逃がす安全弁を配置し、前記安全弁からの排水流路を、便器洗浄に用いる洗浄水の供給源より便器面内に流出するまでの通水路の途中に連通したことを特徴とする衛生洗浄装置。
【請求項２】
熱交換器と前記熱交換器に水を供給するための給水装置とを有する衛生洗浄装置において、前記給水装置に水を供給するための水道配管に設けた分岐栓より前記熱交換器までの区間に、所定以上の水圧が加えられた際に水圧を外部へ逃がす安全弁を配置し、前記安全弁からの排水を、ロータンク内に放水させたことを特徴とする衛生洗浄装置。
【請求項３】
請求項２記載の衛生洗浄装置において、前記安全弁からの排水を、ロータンクに溜められている水の水位よりも高い位置からロータンク内に放水させたことを特徴とする衛生洗浄装置。
【請求項４】
請求項２記載の衛生洗浄装置において、前記安全弁からの排水を、ロータンクに溜められている水の水位よりも低い位置からロータンク内に放水させ、安全弁の排水流路とロータンクの間に、安全弁よりロータンクへの一方向にのみ流水可能な向きに逆止弁を設けたことを特徴とする衛生洗浄装置。
【発明の詳細な説明】
【０００１】
【発明の属する技術分野】
本発明は、入水圧が設定値以上になると水圧を逃がすために便器面内に排水する安全弁を備えた、人体の局部を洗浄する衛生洗浄装置に関するものである。
【０００２】
【従来の技術】
従来、この種の排水流路と安全弁を備えた衛生洗浄装置は特許文献１に示すような構成が一般的であった。この装置は図６に示されているように、排水流路５ｋは熱交換器６の上流で主流路１０から分岐され、安全弁５の上流の水圧が設定値以上になると開放して吐水ホース１７と、吐水口１８とから構成されている便器１５開口部に排水させて、熱交換器６が高圧に晒されないようにしていた。
【０００３】
【特許文献１】
特開平３−６６８４４号公報
【０００４】
【発明が解決しようとする課題】
しかし上記した従来の安全弁５の排水構造では、１ＭＰａを超えるような高水圧が安全弁５の上流に印加された場合等においては、安全弁５の二次圧を熱交換器６の耐圧可能な水圧にまで低下させようとすると安全弁５からの排水流量も多くなり、例えば吐水口１８付近で吐水ホース１７が暴れ、吐水口１８と吐水ホース１７の接続部から排水の一部が漏れて飛び散り、衛生洗浄装置１の内部が被水してしまい、衛生洗浄装置１が故障する恐れがあるという問題があった。また、正常に便器１５面内に排水したとしても、もの凄い勢いで吐水口１８から排水された水が直接便器１５面内に噴射し、水滴が便器１５面の外に跳ね返って飛び散り、トイレの床や壁を濡らしたりする恐れがあるという問題があった。
【０００５】
そこで本発明では、高水圧が安全弁の上流に印加された場合でも、安全弁から排水される水を安全に便器面内に流出させ、水滴の跳ね返りや飛び散りによる衛生洗浄装置の故障やトイレの床・壁などの汚損を防止することを目的とする。
【０００６】
【課題を解決するための手段及びその作用・効果】
請求項１記載の発明における衛生洗浄装置においては、熱交換器と前記熱交換器に水を供給するための給水装置とを有する衛生洗浄装置において、前記給水装置に水を供給するための水道配管に設けた分岐栓より前記熱交換器までの区間に、所定以上の水圧が加えられた際に水圧を外部へ逃がす安全弁を配置し、前記安全弁からの排水流路を、便器洗浄に用いる洗浄水の供給源より便器面内に流出するまでの通水路の途中に連通したことを特徴とする。これにより、安全弁より排水された水は、便器洗浄に用いる洗浄水の通水路に合流し、リムから小穴を通過して便器面内に水が飛び散ることなく安全に排水させることが出来る。
【０００７】
請求項２乃至４記載の発明における衛生洗浄装置においては、熱交換器と前記熱交換器に水を供給するための給水装置とを有する衛生洗浄装置において、前記給水装置に水を供給するための水道配管に設けた分岐栓より前記熱交換器までの区間に、所定以上の水圧が加えられた際に水圧を外部へ逃がす安全弁を配置し、前記安全弁からの排水を、ロータンク内に放水させたことを特徴とする。これにより、安全弁より排水されロータンク内に放水された水はオーバーフロー管を通ってロータンク内に溜められている便器の洗浄水の通水路に合流し、リムから小穴を通過して便器面内に水が飛び散らず安全に排水させることが出来る。
【０００８】
【発明の実施の形態】
以下に本発明の具体的な実施例を、図１乃至図５に基づいて詳細に説明する。
【０００９】
まず第一の実施例について説明する。図１のような衛生洗浄装置１において、給水配管２ａより分岐栓２ｂによって衛生洗浄装置１に流入した給水圧の水は、調圧弁３によって減圧され、水路の開閉を行うメインバルブ４が開かれることにより安全弁５を通過して熱交換器６に至り、湯となる。熱交換器６の下流には流量調整弁７があり、湯はそこで流量を調節され、さらに流路切替弁８によって、おしり洗浄、ビデ洗浄などの目的に叶う局部洗浄用流路が選択され、ノズル９を通って局部に吐水する。この時、メインバルブ４の下流であって熱交換器６の上流に安全弁５を配置しており、例えば調圧弁３が故障し、給水圧がそのまま調圧弁３の下流に印加されたとしても、安全弁５によって主流路１０を流れる水のいくらかを排水して安全弁５の二次圧を下げている。これにより、給水装置１１は熱交換器６の上流で給水圧を熱交換器６の耐え得る所定の水圧以下にまで下げ、熱交換器６に高圧が印加されないよう制御している。
【００１０】
ここで、安全弁５の作動原理を、図２を用いて説明する。安全弁５は、局部洗浄用水の流れる主流路１０から分岐して構成され、分岐点５ａより主流路１０の圧力が主押圧室５ｂに伝搬する。主押圧室５ｂ下流はシート部５ｃにパッキン５ｄがポペット５ｅを介してばね５ｆによって押しつけられ、安全弁５は閉じた状態にある。しかし、調圧弁３が破損した場合、特に高水圧地域では、主押圧室５ｂの圧力による力がばね５ｆに抗してパッキン５ｄおよびポペット５ｅを押し上げ、パッキン５ｄがシート部５ｃから引き離されて安全弁５が開弁する。安全弁５が開弁すると水は副押圧室５ｇに流入し、ポペット５ｅの側面とボディー５ｈの隙間で形成される圧損部５ｉを通過して背圧室５ｊに至り、排水流路５ｋを通って排水される。このように、安全弁５から水を排出して主流路１０の圧力を下げることにより、調圧弁３の破損時の熱交換器６に印加される高圧負荷を軽減する。
【００１１】
この時、排水流路５ｋを給水源１２の流出口１２ａに合流させている。ここでいう給水源１２とは、ロータンク式乃至水道直圧式による給水を表している。これにより、安全弁５より排水された水を、図３に示すように、リム１３の下端に設けている複数の小穴１４を通過させて便器１５面内に水が飛び散ることなく安全に排水させることが出来るので、水滴の跳ね返りや飛び散りによる衛生洗浄装置１の故障やトイレの床・壁などの汚損を防止することができる。
【００１２】
尚、本実施例では安全弁５をメインバルブ４と熱交換器６の間に配置したが、目的によっては分岐栓２ｂからメインバルブ４までの間に配置してもよい。メインバルブ４を閉じている時には、メインバルブ４の上流までは給水圧が印加されており、例えば高水圧地域においてウォーターハンマー現象が発生した場合等、メインバルブ４の上流までは、常に過度の高水圧が印加される可能性がある。このような場合でも、メインバルブ４の上流に安全弁５を配置することにより、給水装置１１には所定の水圧以上は印加されないため、耐圧性を確保出来る。
【００１３】
また、本実施例は、衛生洗浄装置１の給水装置１１の役割の一つを担う安全弁５の排水流路５ｋを、便器１５の洗浄水の給水源１２より便器１５面内に流出するまでの通水路の途中、すなわちロータンク等の給水源１２乃至便器１５に接続させているため、施工時やメンテナンス時に接続が複雑となる。そこで、本実施例の好ましい実施形態は衛生洗浄装置１と便器１５の洗浄水の給水源１２および便器１５を一体とした製品とすることが望ましい。
【００１４】
次に第二の実施例について説明する。この例では、衛生洗浄装置１の水路構成および安全弁５の構造は第一の実施例に示したものと同様であるが、安全弁５の排水流路５ｋの接続箇所が異なる。便器１５の洗浄水の給水源１２がロータンク１２であった場合、排水流路５ｋをロータンク１２内部に接続してもよい。図４のように、排水流路５ｋの出口を、ロータンク１２内の水位より高位置から下方に向かって放水させる。この場合、既定の水位よりも溢れた分の水はオーバーフロー管１２ｂを通ってロータンク１２の流出口１２ａに合流することになり、第一の実施例と同等の効果を得ることが出来る。
【００１５】
また、デザイン収納上、排水流路５ｋの出口をロータンク１２内の水位よりも高位置に配置出来ない場合は、図５のように、排水流路５ｋの出口をロータンク１２内の水位より低位置からロータンク１２に接続してもよい。但し、この場合、排水流路５ｋの出口には、水位と排水流路５ｋの出口の高低差による水頭圧が印加されるため、ロータンク１２内の水が排水流路５ｋを逆流してしまうことになる。その為、排水流路５ｋの一部に、安全弁５よりロータンク１２への一方向にのみ流水可能な向きに逆止弁１６を設ける必要がある。
【００１６】
さらに、安全弁５からの排水を確実にロータンク１２内に通水させるために、少なくとも安全弁５の開弁圧が、ロータンク１２内の水位と排水流路５ｋの出口の高低差による水頭圧よりも高圧であるように設計しなければならない。これにより、安全弁５が開弁して排水流路５ｋに通水された水はロータンク１２内の水位と排水流路５ｋの出口の高低差による水頭圧よりも高圧であるために、排水流路５ｋの水を確実にロータンク１２内に通水することが出来る。
【図面の簡単な説明】
【図１】本発明の第一の実施例における衛生洗浄装置と安全弁の排水経路を示す図である。
【図２】一般的な安全弁の構造を示す図である。
【図３】本発明の実施例によって排水された水が便器面内に流出する様子を示す図である。
【図４】本発明の第二の実施例における衛生洗浄装置と安全弁の排水経路を示す図である。
【図５】本発明の第二の実施例における衛生洗浄装置と安全弁の排水経路を示す図である。
【図６】従来の衛生洗浄便座における安全弁の排水経路を示す図である。
【符号の説明】
１：　衛生洗浄装置
２：　給水部
３：　調圧弁
４：　メインバルブ
５：　安全弁
５ｋ：　排水流路
６：　熱交換器
７：　流量調整弁
８：　流路切替弁
９：　ノズル
１０：　主流路
１１：　給水装置
１２：　給水源（ロータンク）
１２ａ：　流出口
１２ｂ：　オーバーフロー管
１３：　リム
１４：　小穴
１５：　便器
１６：　逆止弁
１７：　吐水ホース
１８：　吐水口
【図１】
2004116162.tif 000003
【図２】
2004116162.tif 000004
【図３】
2004116162.tif 000005
【図４】
2004116162.tif 000006
【図５】
2004116162.tif 000007
【図６】
2004116162.tif 000008